(57)【要約】      （修正有）【課題】ピアスとして使用する場合、及びイアリングとして使用する場合の何れにおいても、ピンが耳当部を安定した状態にて保持し、しかもピンが移動する耳当部の開口部が磨耗しないようなピアス兼用イアリングの構成を提供する。【解決手段】耳当部１の上側を平板形状とし、下側を耳と当接する側と反対方向に、順次湾曲した形状とし、該湾曲した形状の領域の一部又は全部を跨る開口部５を、上側部分５１及び下側部分５３を狭幅とし、その中間部分５２を広幅とした状態にて設けているピアス兼用イアリングにおいて、ピン３が回転しながら通過する上側部分５１及び下側部分５３が、耳当部１の左右方向に湾曲した形状であり、かつピン３が通過する際摺動することが不要である程度の幅を有していることにより、ピン３を安定した状態にて保持し、しかも開口部５の磨耗を避けることができるピアス兼用イアリング。【選択図】          図４
2005000522.tif 000002
【特許請求の範囲】
【請求項１】
装飾部の上部に耳の表面に当接される板状の耳当部を設け、装飾部の下部に、耳の裏側から、該耳当部に対応する位置において、弾性的に当接し得る接合部を、上方向への弾性力を以って回転自在に設け、耳当部の上側を平板形状とし、下側を耳と当接する側と反対方向に、順次湾曲した形状とし、該湾曲した形状の領域の一部又は全部を跨る開口部を、上側部分及び下側部分を狭幅とし、その中間部分を広幅とした状態にて設け、該開口部の後部に、ピアス用のピンを該開口部を挿通した状態にて回転自在に取り付け、かつ該ピンが上方に回転してきた接合部に挿貫可能であると共に、該ピンは、開口部の狭幅の上側部分の端部に接触した場合には、耳当部に対し耳の表方向から裏方向にかけて交差するように設計し、かつピンを下方に向けた状態の場合には、ピンが狭幅の下側部分を挿通するように設計しているピアス兼用イアリングにおいて、ピンが回転しながら通過する上側部分及び下側部分が、耳当部の左右方向に湾曲した形状であり、かつピンが通過する際摺動することが不要である程度の幅を有していることによるピアス兼用イアリング。
【請求項２】
開口部の上側部分の端部、又は下側部分の端部の少なくとも一方において、ピンが回転しながら通過する狭幅のその余の部分よりもやや広幅に設計したことを特徴とする請求項１記載のピアス兼用イアリング。
【請求項３】
ピンを開口部の下側部分の端部にまで移動した場合、当該ピンが耳当部の耳と当接する面の方向を基準として、当接する側と反対方向を向くような位置に該端部の位置を延設していることを特徴とする請求項１記載のピアス兼用イアリング。
【請求項４】
耳当部の湾曲した側を延設した端部が、装飾部の裏側に当接していることを特徴としている請求項１記載のピアス兼用イアリング。
【発明の詳細な説明】
【０００１】
【引用公報】
引用した公報は、以下の通りである。
特開２００１−１６１４１２号公報。
【発明の属する技術分野】
本発明は、ピアスとイアリングとの双方に使用できる耳飾りに関するものである。
【０００２】
【従来の技術】
前記ピアス兼用イアリングとして、出願人は既に図６（ａ）、（ｂ）の斜視図及び図７（ａ）、（ｂ）の側面図に示すように、装飾部７の上部に耳の表面９に当接される板状の耳当部１を設け、装飾部７の下部に、耳の裏側から、該耳当部１に対応する位置において、弾性的に当接し得る接合部６を、上方向への弾性力を以って回転自在に設け、耳当部１の上側を平板形状とし、下側を耳と当接する側と反対方向に、順次湾曲した形状とし、該湾曲した形状の領域の一部又は全部を跨る開口部５を、上側部分５１及び下側部分５３を狭幅とし、その中間部分５２を広幅とした状態にて設け、該開口部５の後部に、ピアス用のピン３を該開口部５を挿通した状態にて回転自在に取り付け、かつ該ピン３が上方に回転してきた接合部６に挿貫可能であると共に、該ピン３は、開口部５の狭幅の上側部分５１の端部に接触した場合、耳当部１に対し耳の表方向から裏方向にかけて略直角方向をなすように設計し、かつピン３を下方に向けた状態においては、ピン３が狭幅の下側部分５３を挿通するように設計しているピアス兼用イアリングの構成を提唱し（特開２００１−１６１４１２号公報）、当該構成は既に特許を受けるに至っている（特許第３３５９６０３号）。
尚、図７（ａ）、（ｂ）の側面図では、ピン３が下側部分５３を通過した場合に、耳当部１が耳に当接する側の面を概略平行となるような状態が記載されているが、ピン３が下側部分５３を挿通した場合の状態は、上記図７（ａ）、（ｂ）に示すような状態に限定される訳ではない。
【０００３】
前記出願が提唱した従来技術においては、図６（ｂ）に示すように、狭幅の上側部分５１及び下側部分５３の中途部位の幅を、ピン３が摺動することによって移動できる程度の、ピン３の径と同程度か又はピン３の径よりもやや大きく設計し、上側部分５１及び下側部分５３の各端部を当該中途部位の幅よりもやや大きく、かつピン３が余裕を以って挿通し得るような幅を有するように設計したことによる実施態様が少なからず採用されており、当該実施態様においては、ピン３は当該境界部を摺動しながら通過した後、上側部分５１の端部、及び下側部分５３の端部において安定した状態にて維持され得るという特徴を有している。
【０００４】
前記図６（ｂ）に示す実施態様は、通常境界部を直線状に設計する場合が多いが、当該実施態様の場合には、ピン３を移動させる場合には、上側部分５１及び下側部分５３に沿って摺動させる確率が極めて高いため、境界部の幅が当該摺動によって次第に広がり、上側部分５１の端部及び下側部分５３の端部との幅の相違が僅差となり、ピン３を上側部分５１及び下側部分５３において、保持し得る機能を十分発揮し得ないという技術上の難点が存在する。
【０００５】
【発明が解決しようとする課題】
本発明は、前記出願人が提唱した従来技術の図６（ｂ）に示す実施態様の難点を克服し、開口部の上側部分及び下側部分の磨耗を生ぜずに、しかもピンを上側端部又は下側端部に安定した状態にて保持し得るようなピアス兼用イアリングの構成を提供することを目的としている。
【０００６】
【課題を解決するための手段】
前記課題を解決するため、本発明の構成は、装飾部の上部に耳の表面に当接される板状の耳当部を設け、装飾部の下部に、耳の裏側から、該耳当部に対応する位置において、弾性的に当接し得る接合部を、上方向への弾性力を以って回転自在に設け、耳当部の上側を平板形状とし、下側を耳と当接する側と反対方向に、順次湾曲した形状とし、該湾曲した形状の領域の一部又は全部を跨る開口部を、上側部分及び下側部分を狭幅とし、その中間部分を広幅とした状態にて設け、該開口部の後部に、ピアス用のピンを該開口部を挿通した状態にて回転自在に取り付け、かつ該ピンが上方に回転してきた接合部に挿貫可能であると共に、該ピンは、開口部の狭幅の上側部分の端部に接触した場合には、耳当部に対し耳の表方向から裏方向にかけて交差するように設計し、かつピンを下方に向けた状態の場合には、ピンが狭幅の下側部分を挿通するように設計しているピアス兼用イアリングにおいて、ピンが回転しながら通過する上側部分及び下側部分が、耳当部の左右方向に湾曲した形状であり、かつピンが通過する際摺動することが不要である程度の幅を有していることによるピアス兼用イアリングからなる。
【０００７】
【作用】
本発明においては、図４（ａ）、（ｂ）に示すように、耳当部１の開口部５において、広幅の中間部分５２に対する上側部分５１及び下側部分５３が耳当部１の左右方向に湾曲している。
【０００８】
前記湾曲状態としては、図４（ａ）に示すように、上側部分５１と下側部分５３とが同一方向に湾曲している場合、図４（ｂ）に示すように、上側部分５１と下側部分５３とが反対方向に湾曲している場合の何れをも採用することができる。但し、図４（ｂ）の構成の場合には、ピン３を上側部分５１の端部に挿通させてピアスとして使用する場合の左右方向の位置と、下側部分５３の端部を挿通させてイアリングとして使用する場合の左右方向の位置とが相違し、必然的に少なくとも何れか一方において、ピン３を左右方向に曲げた状態として使用しなければならないのに対し、図４（ａ）の場合には、上側部分５１及び下側部分５３の端部の位置を左右方向において同一位置とすることができるので、そのような難点が存在しないため、大抵の場合には、図４（ａ）による設計を採用することになる。
【０００９】
ピン３が、上側部分５１の端部に当接し、かつピアスとして使用された状態から中間部分５２を通過し、下側部分５３の端部まで移動し、かつイアリングとして使用する状態となるようにする場合、又はその逆方向に移動する場合の何れにおいても、上側部分５１及び下側部分５３の中途部位を通過する段階では、ピン３は、図５に示すように、移動過程において、弾性的に左右方向に曲げられた状態とならざるを得ない。
【００１０】
したがって、上側部分５１の端部又は下側部分５３の端部においてピン３が保持された後に、当該保持状態から脱するには、弾性変形によって左右方向に曲げることを必要とするため、上記保持状態は安定した状態となる。
【００１１】
即ち、本願発明においては、上側部分５１及び下側部分５３を湾曲することによって、ピン３が上側部分５１及び下側部分５３の中途部位を通過する場合には左右方向に弾性的に曲げられることを逆利用して、上側部分５１の端部及び下側部分５３の端部におけるピン３の保持状態を安定化させることに技術的意義を有している。
【００１２】
しかも、上側部分５１及び下側部分５３の幅は、ピン３が移動する際、摺動を必要としない程度であるため、図６（ｂ）に示す従来技術の場合のように、上側部分５１及び下側部分５３が当該摺動によって磨耗するという欠点を免れることができる。
【００１３】
本発明は、前記出願人が提唱した従来技術による構成態様の選択発明に該当しているが、その余の作用は、上記構成態様と同一である。即ち、本願発明においても、図７（ａ）、（ｂ）に示すように、接合部６を耳の上側から耳当部１に対応する位置において、弾性的に当接した状態とし、ピン３を耳当部１に対し、略直角方向をなすように設定した場合（点線によって示す）には、本発明の器具は、ピアスとして使用することができ、ピン３を下方に向けた状態に設定した場合（実線によって示す）には、本発明の器具は、イアリングとして使用することができる（尚、前記従来技術では、ピアスとして使用する場合には、図７（ａ）、（ｂ）に示すように、ピン３は、耳当部１に対し、略直角方向をなすように設計されているが、本発明では、このような状態に限定されている訳ではない。）。。
【００１４】
本発明においても、耳当部１が耳に当接する表面と反対側に順次湾曲する形状を採用しているため、接合部６の弾性力を以って、耳当部１を耳表面９に当接した場合においても、図８に示すように、耳当部１に当接した部分とそうでない部分の耳表面９の変化は急激ではなく、なだらかに変化し、このため、本発明の場合には、ピアス又はイアリングとして快適な装着を実現することができる。
【００１５】
本発明においても、図４（ａ）、（ｂ）に示すように、開口部５につき、上側部分５１及び下側部分５３を狭幅とし、その中間部分５２を広幅に設計した構成を採用している。
【００１６】
このような構成の採用により、ピン３を、耳当部１の裏側に軸受部２を介してピン３を装着する場合には、ピン３を耳当部１の表側（前側）から開口部５を介して裏側（後側）に挿貫し、更にピン回転軸４を耳当部１の裏側に位置しているピンの軸受部２に装着させる工程を必要とするが、図４（ａ）、（ｂ）に示すように、開口部の中間部分５２を広幅に設計しているので、前記挿貫が極めて容易となり、工作上、極めて好都合である。
尚、広幅となっている中間部分５２にピン３を挿通した場合には、上側部分５１の端部及び下側部分５３の端部に挿通している場合と同様、左右方向に曲げられていない状態とするのが良い。
【００１７】
以下、実施例に従って説明する。
【００１８】
【実施例１】
実施例１は、図１に示すように、開口部の上側部分５１の端部、又は下側部分５３の端部の少なくとも一方において、ピン３が回転しながら通過する狭幅のその余の部分よりもやや広幅に設計したことを特徴としている。
【００１９】
このような実施例１の構成においては、ピアスとして使用する際、ピン３が挿通する上側部分５１の端部、又はイアリングとして使用する際、ピン３が挿通する上側部分５１の端部が、やや広幅となっているため、図４（ａ）に示すように、ピン３を左右方向に曲げられていない状態にてピン回転軸４に対し取り付ける位置と、前記各端部との位置合わせが極めて容易となり、工作上便利である。
【００２０】
【実施例２】
実施例２は、図２に示すように、ピン３を開口部の下側部分５３の端部にまで移動した場合、当該ピン３が耳当部１の耳と当接する面９の方向を基準として、当接する側と反対方向を向くような位置に該端部の位置を延設していることを特徴としている。
【００２１】
このような実施例２の構成においては、イアリングとして使用する際、ピン３は耳当部１が耳と当接する平面方向を基準とした場合、耳と反対側にピン３が位置することになるので、安全な状態にてイアリングとしての使用を実現することができる。
【００２２】
【実施例３】
実施例３は、図３に示すように、耳当部１の湾曲した側を延設した端部が、装飾部７の裏側に当接していることを特徴としている。
【００２３】
このような実施例３の設計においては、耳当部１を装飾部７に対し堅固な状態にて結合させることが可能となる。
【００２４】
【発明の効果】
以上による本願発明においては、ピアスとして使用する場合、及びイヤリングとして使用する場合の何れの場合においても、ピンを安定した状態にて保持し、しかもピンが移動する耳当部の開口部の上側部分及び下側部分が磨耗しないという効果を発揮することができる。
【００２５】
更に、前記実施例１、２、３の場合には、上記効果にそれぞれ固有の効果を付加することができる。
【００２６】
このように、本願発明は多面的な効果を有しており、その価値は絶大である。
【００２７】
【図面の簡単な説明】
【図１】実施例１の構成を示す部分的斜視図である。
【図２】実施例２の構成を示す側面図である。
【図３】実施例３の構成を示す側面図である。
【図４】本願発明の構成を示す斜視図であり、（ａ）は、上側部分及び下側部分が同一方向に湾曲した構成を示しており、（ｂ）は、上側部分と下側部分とが反対方向に湾曲した構成を示している。
【図５】ピンが開口部の上側部分、及び下側部分の中途部位を移動する際、左右方向に曲げられた状態となることを示すための耳当部及びピン回転軸の背面図を示している。
【図６】出願人が提唱した従来技術の耳当部の構成を示す斜視図であり、（ａ）は、上側部分及び下側部分につき、略同一幅による設計を行っている場合を示し、（ｂ）は、上側部分及び下側部分につき、各端部にピンが余裕を以って挿通し得るだけの幅を有し、端部以外の中途部位につき、ピンの径と同程度か、又はやや大きい程度に設計した場合を示している。
【図７】本発明及び出願人が提唱した従来技術において、接続部及びピンの移動状況を示す側面図であり、（ａ）は、下側の湾曲部分が、ピンの軸受部を下方の両側において支えるまでに至っていない状態を示しており、（ｂ）は、下側の湾曲部がピンの軸受部を下方の両側において支えるに至った状態を示している。
【図８】耳当部を耳表面に当接した場合の断面図である。
【符号の説明】
１  耳当部
２  ピンの軸受部
３  ピン
４  ピン回転軸
５  開口部
５１  開口部の上側部分
５２  開口部の中間部分
５３  開口部の下側部分
６  接合部
７  装飾部
７１  装飾部の軸受部
９  耳当部によって当接される耳表面及びその近傍
【図１】
2005000522.tif 000003
【図２】
2005000522.tif 000004
【図３】
2005000522.tif 000005
【図４】
2005000522.tif 000006
【図５】
2005000522.tif 000007
【図６】
2005000522.tif 000008
【図７】
2005000522.tif 000009
【図８】
2005000522.tif 000010